(57)【特許請求の範囲】
【請求項１】
浴槽の上面に敷設される風呂蓋であって、該風呂蓋は、片側表面がクッション材で覆われ、外周端面が縁被覆材でカバーされてなり、
該縁被覆材は、前記外周端面を覆うことのできる高さ寸法のカバー面の上端および下端に内側に折り曲げて上端突片および下端突片が形成され、該上端突片が前記クッション材の端縁上に喰い込むように構成されていることを特徴とする風呂蓋。
【請求項２】
前記風呂蓋は、発泡ポリスチレンの芯材をＦＲＰの表面材で挟み、片面の表面材の表面に発泡ポリエチレンのクッション材を接着し、オレフィン系エラストマーの縁被覆材を外周端面に嵌め込んで形成されていることを特徴とする請求項１に記載の風呂蓋。
【発明の詳細な説明】
【技術分野】
【０００１】
本発明は、風呂蓋に関するものである。
【背景技術】
【０００２】
従来、特許文献１に開示されているように、両面にクッション材を接着させた構成の風呂蓋が存在する。
【先行技術文献】
【特許文献】
【０００３】
【特許文献１】特開２００３−２２５１７３号公報
【発明の概要】
【発明が解決しようとする課題】
【０００４】
上記特許文献１に開示されている風呂蓋は、両面にクッション材が接着されたものであるため、浴槽の上面に敷設した場合に浴槽から浮いて隙間ができたり、クッション材に直接湯気が当たることでカビが発生しやすいという問題点があり、また、特許文献１の風呂蓋では、外周にエッジが存在しないために、外周の端面から剥がれてきたり、劣化しやすいという問題点があった。
【課題を解決するための手段】
【０００５】
本発明は、風呂蓋としての機能を有し、テーブルとしても使用することのできる風呂蓋の提供を目的とし、この目的の少なくとも一部を達成するために以下の手段を採った。
本発明は、浴槽の上面に敷設される風呂蓋であって、該風呂蓋は、片側表面がクッション材で覆われ、外周端面が縁被覆材でカバーされてなり、
該縁被覆材は、前記外周端面を覆うことのできる高さ寸法のカバー面の上端および下端に内側に折り曲げて上端突片および下端突片が形成され、該上端突片が前記クッション材の端縁上に喰い込むように構成されていることを要旨とする。
【発明の効果】
【０００６】
本発明の風呂蓋では、片側表面のみがクッション材で覆われているため、クッション材の存在しない側を浴槽の上面に敷設して、隙間なく浴槽を覆うことができ、良好に風呂蓋として使用することができる。また、風呂蓋の表面はクッション材で覆われているため、肘をついて読書等をしても肘が痛くなりづらく、テーブルとして良好に使用することができ、しかも、外周端面は縁被覆材でカバーされて上端突片でクッション材が捲れることがないように押さえるため、良好に気密性が確保されて、外周側が劣化することがなく、良好な意匠性を呈することができるものとなる。
【０００７】
また、本発明の風呂蓋において、前記風呂蓋は、発泡ポリスチレンの芯材をＦＲＰの表面材で挟み、片面の表面材の表面に発泡ポリエチレンのクッション材を接着し、オレフィン系エラストマーの縁被覆材を外周端面に嵌め込んで形成されているものとすることもできる。
こうすれば、ＦＲＰの表面材で荷重に対する強度が確保され、発泡ポリスチレンの芯材により熱伝導率が抑制されて断熱性が確保され、しかも、外周の縁被覆材により気密性が確保されて、風呂蓋としての良好な機能を備えたものとなり、また、発泡ポリエチレンのクッション材によりクッション性が確保されているため、テーブルとして使用する際には、手や肘を置いて良好に読書等が行えるものとなる。
【図面の簡単な説明】
【０００８】
【図１】浴槽の上面に敷設した風呂蓋をテーブルとして使用し、入浴しながら読書をしている状態の平面構成図である。
【図２】３枚割りの風呂蓋の平面図である。
【図３】クッション材を設けた中央風呂蓋の平面構成図である。
【図４】図３の断面要部拡大図である。
【発明を実施するための形態】
【０００９】
次に、本発明を実施するための形態を実施例を用いて説明する。
図１は、浴室で読書をしている状態の平面構成図であり、浴室の洗い場１の側方に設置された浴槽２の上面外周にはフランジ部２ａが形成されており、このフランジ部２ａ上に架け渡し状に中央風呂蓋３を敷設して、入浴しながら人４が中央風呂蓋３上に肘等を付いて本５を読むことができるように構成されている。即ち、中央風呂蓋３は、テーブルとしても使用することができるものである。
【００１０】
この中央風呂蓋３は図２に示すように、通常、風呂蓋として使用する場合は、両側に大型の風呂蓋３Ａ，３Ｂを並べて、風呂蓋３Ａ，３Ｂと中央風呂蓋３で浴槽２の上面全体を覆うように浴槽２上に敷設して使用するものである。
左右の大型風呂蓋３Ａおよび３Ｂは、表面にクッション材は設けられておらず、平板状に形成されて、外周側に縁被覆材が設けられたものである。
【００１１】
中央の中央風呂蓋３は、図３に拡大平面図で示すように長方形状に形成されており、片面表面がクッション材８で覆われて、外周は縁被覆材９でカバーされた構造となっている。
この中央風呂蓋３の要部縦断面図は図４に示す。
【００１２】
中央風呂蓋３は、芯材６の上下面が表面材７ａ，７ｂで挟まれ、上面側の表面材７ａの表面にクッション材８が接着されており、外周には縁被覆材９が嵌め込み状に取り付けられて構成されている。
芯材６は、発泡ポリスチレンで構成され、表面材７ａ，７ｂは、ガラス繊維に合成樹脂を含浸した繊維強化樹脂シート（ＦＲＰ）であり、クッション材８は、発泡ポリエチレン製であり、また、縁被覆材９は、オレフィン系エラストマーで構成されている。
【００１３】
なお、クッション材８の表面には、シボ加工による布目が形成されている。
図２の実施例では、クッション材８の表面は平坦となっているが、図３および図４の実施例のように、クッション材８の表面に凹み状の凹部８ａを形成しても良く、この凹部８ａ内にはペットボトル等を安定して置くことができるものとなる。
その他、クッション材８には、肘を置くことのできる凹部等を形成させておいても良い。
【００１４】
なお、縁被覆材９は、中央風呂蓋３の外周端面を覆うことのできる高さ寸法のカバー面９ａを有し、カバー面９ａの内面側には、上下方向に間隔をおいて嵌合部９ｄ，９ｄが突出形成されており、この嵌合部９ｄ，９ｄを芯材６に嵌合させて、縁被覆材９を嵌め込んで取り付けることができ、嵌合部９ｄ，９ｄを嵌合した状態では、嵌合部９ｄ，９ｄの外側に表面材７ａ，７ｂが配置されるように構成されている。
また、縁被覆材９の嵌め込み状態では、カバー面９ａの上端に内側に折り曲げて形成されている上端突片９ｂがクッション材８の端縁上に喰い込み、また、カバー面９ａの下端に内側に折り曲げて形成されている下端突片９ｃが下側の表面材７ｂの下面側に喰い込み、この縁被覆材９により気密性が確保されて外周がカバーされる。
なお、上端突片９ｂの部分は、クッション材８が捲れることがないように押さえるために固く構成するのが好ましく、逆に、下端突片９ｃの部分は、浴槽に密着するように柔らかく構成するのが好ましい。
【００１５】
このような中央風呂蓋３の構造では、上方からの荷重に対する強度がＦＲＰ製の表面材７ａ，７ｂにより確保され、例えば、もし上面に人が座ってしまっても破損しない強度が確保されている。
また、発泡ポリスチレン製の芯材６により熱伝導率が抑制されて、風呂蓋としての良好な断熱性が確保されており、縁被覆材９により風呂蓋としての気密性が確保されている。
【００１６】
また、図１のように、テーブルとして使用する際には、クッション材８の上に肘や手を置いても、クッション性を有するために痛く感じることはなく、良好に読書用等のテーブルとして使用することができるものである。
【００１７】
なお、図２のように、風呂蓋として中央風呂蓋３を使用する場合には、クッション材８が接着されていない下側の表面材７ｂを浴槽２のフランジ部２ａ上に載せて使用することで、浴槽のフランジ部２ａに表面材７ｂが隙間なく当接し、両側の大型風呂蓋３Ａ，３Ｂも同様にフランジ部２ａに隙間なく当接して、底面側を面一状にして大型風呂蓋３Ａ，３Ｂの中央部に中央風呂蓋３を敷設して用いることができ、大型風呂蓋３Ａ，３Ｂとの間に隙間が生ずることがなく、良好な気密性と断熱性が確保されて、風呂蓋としての機能を良好に発揮することができるものである。
【００１８】
また、テーブルとして使用する際に、外周に縁被覆材９が嵌め込み状に取り付けられているため、この縁被覆材９により中央風呂蓋３が浴槽のフランジ部２ａからずれ落ちることが防がれて、良好にテーブルとして図１のように使用することができるものとなる。
【００１９】
なお、使用しない場合には、中央風呂蓋３は大型風呂蓋３Ａ，３Ｂと共に浴室の隅部に立てかける等して収納しておくことができ、無駄なスペースを作らずにコンパクトに収納することができるものである。
【符号の説明】
【００２０】
２  浴槽
２ａ  フランジ部
３  中央風呂蓋
３Ａ，３Ｂ  大型風呂蓋
４  人
５  本
６  芯材
７ａ，７ｂ  表面材
８  クッション材
８ａ  凹部
９  縁被覆材
９ｂ  上端突片
９ｃ  下端突片
９ｄ  嵌合部
【図１】
0005687080.tif 000002
【図２】
0005687080.tif 000003
【図３】
0005687080.tif 000004
【図４】
0005687080.tif 000005